(57)【特許請求の範囲】
【請求項１】
回収ボックス（１）の開閉蓋（２）の上面部（２ａ）を作業面とすると共に、この上面部（２ａ）の上方を作業空間（Ｓ）とし、この作業空間（Ｓ）の両側方および後方を開放するようにした遮蔽体（３）を、前記開閉蓋（２）に設け、この遮蔽体（３）の少なくとも上面部（３ａ）を透視性とし、遮蔽体（３）の前面部（３ｂ）に設けた吸引孔（４）に連結管（５）の一端を連結すると共に、この連結管（５）の他端を前記回収ボックス（１）の一側面部に設けた吸引孔（６）に連結し、さらに前記回収ボックス（１）の他側面部に設けた吸引孔（７）に吸引装置の吸引管（８）の一端を連結したことを特徴とする研削作業用集塵器具。
【請求項２】
前記開閉蓋（２）の上面部（２ａ）に、多数の吸引口（１７）を設けたことを特徴とする請求項１記載の研削作業用集塵器具。
【請求項３】
前記吸引孔（７）に、回収ボックス（１）の内側に配されるようにして、フィルター部材（１４）を着脱自在として取り付けたことを特徴とする請求項１記載の研削作業用集塵器具。
【請求項４】
前記遮蔽体（３）を、角度調節機構（３０）を介して、無段階に角度調節できるようにしたことを特徴とする請求項１記載の研削作業用集塵器具。
【請求項５】
前記角度調節機構（３０）を、遮蔽体（３）の前面部（３ｂ）に突設した支持脚（３１）の支持孔（３１ａ）を、開閉蓋（２）の縁部（２ｂ）に突設した支持体（３２）のスライド孔（３２ａ）に調節ネジ（３３）で止着可能とし、遮蔽体（３）の前面部（３ｂ）の下端を開閉蓋（２ａ）の挿入孔（３４）に遊挿したものとしたことを特徴とする請求項４記載の研削作業用集塵器具。
【発明の詳細な説明】
【技術分野】
【０００１】
この発明は、歯科技工、彫金、宝飾品加工、手工芸などにおいて、研削作業を行う際に発生する粉塵を集塵するための研削作業用集塵器具に関するものである。
【背景技術】
【０００２】
従来、この種の研削作業用集塵器具としては、例えば図４、５に示したような、歯科技工用集塵器具が存在する。この歯科技工用集塵器具は、両側面に手挿入口４１を有し、少なくともフロント壁４９が透明板よりなるボックス本体４２内の底部寄りに両側壁に亘って支軸４３を回転自在に設けている。そして、支軸４３によってボックス本体４２底部を支軸４３より前側の貴金属収集ゾーン４７と後側の石膏屑集塵ゾーン４８とに区別し、支軸４３に倒し板４４の基部を固定し、石膏屑集塵ゾーン４８を上から臨む吸引管４６を配している。さらに、倒し板４４は前方に倒したときには貴金属収集ゾーン４７を覆い、後方に倒したときには石膏屑集塵ゾーン４８を覆うようにしている（特許文献１）。
【０００３】
このようにした歯科技工用集塵器具は、強力な吸引力で石膏屑を完全に吸引除去でき、しかも貴金属片と石膏屑とを分別収集することができるとしている。
【０００４】
また、この種の研削作業用集塵器具としては、例えば図６、７に示したような、歯科技工用集塵器具が存在する。この歯科技工用集塵器具は、上面部５１ａ、前面部５１ｂおよび底面部５１ｃを、側方から見て略コ字状に連結することにより、作業空間Ｓの両側方および後方を開放した遮蔽体５１の少なくとも上面部５１ａを透視性とし、前面部５１ｂに吸引管５２を着脱自在として取り付けるとともに、底面部５１ｃに磁石体５３を固着したものとしている（特許文献２）。
【０００５】
このようにした歯科技工用集塵器具は、手元が見易く作業性に優れ、非常に細かい部分の研削作業も行い易いとしている。
【特許文献１】実開平６−７５４１９号公報（第１頁、図１、３）
【特許文献２】特開２００６−８７４８２号公報（第３頁、図１、２）
【発明の開示】
【発明が解決しようとする課題】
【０００６】
しかしながら、上記特許文献１に記載された歯科技工用集塵器具では、両側面に有した手挿入口４１から手を挿入し、ボックス本体４２内で歯型や補綴物などを研削作業するが、その手挿入口４１は当然のことながら側面の面積より大きくすることはできず、その手挿入口４１の大きさに制限されて、肘から先の動きや、身体全体の姿勢が制限されたり、咬合器が入りづらくなるなどして、作業性が悪くなるという課題を有していた。
【０００７】
さらに、上記歯科技工用集塵器具では、ボックス型にしているので、不使用時には嵩張って、収納しておくのに非常に不便であり、歯型や補綴物などを研削しながらの咬み合わせ調整やコンタクトの調整、模型に着脱しながらの操作にも不便であるという課題を有していた。
【０００８】
また、上記特許文献２に記載された歯科技工用集塵器具では、作業空間Ｓの両側方および後方を開放した遮蔽体５１の少なくとも上面部５１ａを透視性としているため、手元が見易く作業性に優れ、非常に細かい部分の研削作業も行い易いとしているが、研削作業時に発生する補綴物などの再利用可能な金属が吸引管５２から吸い込まれ、吸引装置にまで引き込まれてしまうので、この吸引装置から金属を回収することになり、手が掛かるという課題を有していた。
【０００９】
さらにまた、上記従来の歯科技工用集塵器具では、上面部５１ａ、前面部５１ｂおよび底面部５１ｃを、側方から見て略コ字状に連結することにより、遮蔽体５１を、作業空間Ｓの両側方および後方を開放したものとしているので、不使用時においてもボックス型にしたもの程は嵩張らないが、略コ字状となったままの遮蔽体５１が嵩張り、運搬する場合や収納しておく場合などに不便であるという課題を有していた。
【００１０】
そこで、この発明は、上記従来の課題を解決するものであり、手元が見易く作業性に優れ、非常に細かい部分の研削作業も行い易いという点は損なわれることなく、歯科技工、彫金、宝飾品加工、手工芸などにおいて研削作業を行った際に生ずる再生可能な金属などの有用物を簡単に回収することができ、しかも不使用時に非常に嵩を低くしておくことができる研削作業用集塵器具を提供することを目的としてなされたものである。
【課題を解決するための手段】
【００１１】
そのため、この発明の研削作業用集塵器具は、回収ボックス１の開閉蓋２の上面部２ａを作業面とすると共に、この上面部２ａの上方を作業空間Ｓとし、この作業空間Ｓの両側方および後方を開放するようにした遮蔽体３を、前記開閉蓋２に設け、この遮蔽体３の少なくとも上面部３ａを透視性とし、遮蔽体３の前面部３ｂに設けた吸引孔４に連結管５の一端を連結すると共に、この連結管５の他端を前記回収ボックス１の一側面部に設けた吸引孔６に連結し、さらに前記回収ボックス１の他側面部に設けた吸引孔７に吸引装置の吸引管８の一端を連結したものとしている。
【００１２】
そして、この発明の研削作業用集塵器具は、前記開閉蓋２の上面部２ａに、多数の吸引口１７を設けたものとしている。
【００１３】
さらに、この発明の研削作業用集塵器具は、前記吸引孔７に、回収ボックス１の内側に配されるようにして、フィルター部材１４を着脱自在として取り付けたものとしている。
【００１４】
また、この発明の研削作業用集塵器具は、前記遮蔽体３を、角度調節機構３０を介して、無段階に角度調節できるようにしている。
【００１５】
さらに、この発明の研削作業用集塵器具は、前記角度調節機構３０を、遮蔽体３の前面部３ｂに突設した支持脚３１の支持孔３１ａを、開閉蓋２の縁部２ｂに突設した支持体３２のスライド孔３２ａに調節ネジ３３で止着可能とし、遮蔽体３の前面部３ｂの下端を開閉蓋２ａの挿入孔３４に遊挿したものとしている。
【発明の効果】
【００１６】
この発明の研削作業用集塵器具は、以上に述べたように構成されているので、手元が見易く作業性に優れ、非常に細かい部分の研削作業も行い易いという点は損なわれることなく、歯科技工、彫金、宝飾品加工、手工芸などにおいて研削作業を行った際に生ずる再生可能な金属などの有用物を簡単に回収することができて便利なものとなり、しかも不使用時に非常に嵩を低くしておくことができて運搬する場合や収納しておく場合に便利なものとなった。
【発明を実施するための最良の形態】
【００１７】
以下、この発明の研削作業用集塵器具の実施の形態を、図面に基づいて詳細に説明する。
【００１８】
この発明の研削作業用集塵器具は、図１〜３に示したように、回収ボックス１の開閉蓋２の上面部２ａを作業面とすると共に、この上面部２ａの上方を作業空間Ｓとしている。そして、この作業空間Ｓの両側方および後方を開放するようにした遮蔽体３を、前記開閉蓋２に設けている。この遮蔽体３の少なくとも上面部３ａは、透視性とし、遮蔽体３の前面部３ｂに設けた吸引孔４に連結管５の一端を連結すると共に、この連結管５の他端を前記回収ボックス１の一側面部に設けた吸引孔６に連結している。なお、遮蔽体３は、少なくとも上面部３ａを透視性とすればよいが、前面部３ｂも透視性にすることにより、作業空間Ｓ内を作業者が見易いものとなり、作業性に優れたものとなる。さらに、前記回収ボックス１の他側面部に設けた吸引孔７に、例えば家庭用掃除機などの吸引装置（図示せず）の吸引管８の一端を連結したものとしている。
【００１９】
回収ボックス１は、略直方体形状とした中空のボックス本体１１と、このボックス本体１１の上部開口に着脱自在として被せられる前記開閉蓋２とからなる。ボックス本体１１の一側面１１ａ、例えば前側面には、前記連結管５の一端を着脱自在として連結するための前記吸引孔６が設けられている。この吸引孔６には連結管５の一端に連結可能としたアダプター１２が設けられている。また、ボックス本体１１の他側面１１ｂ、例えば後側面には、前記吸引管８の一端を着脱自在として連結するための前記吸引孔７が設けられている。この吸引孔７には吸引管８の一端に連結可能としたアダプター１３が設けられている。さらに、前記吸引孔７には、回収ボックス１の内側に配されるようにして、フィルター部材１４を着脱自在として取り付けたものとしている。このフィルター部材１４は、研削作業を行う際に発生する粉塵は通過するが、研削作業を行った際に回収する再生可能な金属などの有用物は通過しないメッシュを有したものとしている。このフィルター部材１４は、例えば金網などとすることができるが、図に示したような袋体１４ａの内部にスポンジ１４ｂを収納したようなものとしてもよい。スポンジ体１４ｂは、回収ボックス１に働く吸引力によって、袋体１４ａが窄んで吸引孔７に詰まらないようにするためのものである。
【００２０】
なお、この発明の研削作業用集塵器具をテーブルや机などの作業台に載せて研削作業するときに、作業台の載置面の状態によっては滑って作業がし難くなることもあるので、このような場合は、ボックス本体１１の底面１１ｃにゴムや軟質の合成樹脂などからなる滑り止め１５を設けておくことができる。また、作業台の載置面が金属製である場合には、滑り止め１５を磁着体とすることができる。
【００２１】
開閉蓋２は、図示したように、ボックス本体１１の上部開口の外側に嵌め込むようにして被せたり、図示していないが、ボックス本体１１の上部開口の内側に嵌め込むようにして被せたりしている。図に示した開閉蓋２は、周囲を内側に折り返した縁部２ｂを形成し、この縁部２ｂの内面がボックス本体１１の上部開口の外面に接触するようにして、ボックス本体１１の上部開口の外側に嵌め込むようにしている。なお、開閉蓋２の下面の周囲の内側に出っ張らせた縁部（図示せず）を形成し、この縁部の外面がボックス本体１１の上部開口の内面に接触するようにすれば、開閉蓋２をボックス本体１１の上部開口の内側に嵌め込むようにすることができる。また、開閉蓋２は、前記回収ボックス１に被せたときに密着性を良くするために、ボックス本体１１の上部開口に接触する内周部にゴムや軟質の合成樹脂などからなる密閉部材１６を取り付けたものとしている。
【００２２】
さらに、開閉蓋２の上面部２ａには、多数の吸引口１７を設けたものとしている。これら吸引口１７は、研削作業を行う際に発生する粉塵は勿論、研削作業を行った際に回収する再生可能な金属などの有用物も通過可能な大きさに形成している。そして、吸引口１７は、研削作業を行った際の粉塵の発生具合など、その研削作業の作業状況に応じて開閉自在にすることができる。前記吸引口１７を開閉自在にするには、例えば、ゴムや軟質の合成樹脂などからなる密閉板（図示せず）をこれら吸引口１７の上に載せたり、これら吸引口１７の上から取り去るようにすればよい。
【００２３】
遮蔽体３は、上面部３ａ及び前面部３ｂを、側方から見て略く字状に連結することにより、作業空間Ｓの両側方および後方を開放するようにして、前記回収ボックス１の開閉蓋２に設けたものとしている。上面部３ａは、水平にしてもよいが斜め上方に向けたものとするのが、その上面部３ａを透して作業空間Ｓ内を作業者が見易いものとなる。この上面部３ａは、平面形状を略四角形として、この略四角形とした全体をガラスやアクリルなどの透明板として透視性を有するものとしてもよいが、図示したものでは、平面形状を略Ｕ字状の枠体とし、この枠体の上に透明板１８を着脱自在に取り付けることにより、透視性を有するものとしている。この透明板１８は、前記枠体の上に単に載せると共に、上面部３ａと前面部３ｂとの間に、前面部３ｂを突出させて設けた支持体１９によって支持されるようにすることにより、新しい物や別の物に取り替えることができる。例えば、前記透明板１８に替えて、拡大レンズ（図示せず）にすることができる。拡大レンズとしては、フレネルレンズと呼ばれる薄くて軽いレンズを用いるのが好ましい。拡大レンズにすれば、研削作業品の非常に細部にわたる部分の作業が楽に行え、眼への負担も軽減することができるものとなる。
【００２４】
さらに、遮蔽体３の上面部３及び前面部３ｂの両側部には作業空間Ｓ側に向けた鍔部３ｃを設けたものとし、作業空間Ｓでの研削により発生した粉塵や金属などの有用物がこの作業空間Ｓから跳ね出しにくいものとしている。さらに、前記鍔部３ｃには、図示したように、跳ね防止板２１を着脱自在に取り付けたものとしており、前記粉塵や金属などの有用物が作業空間Ｓからより跳ね出しにくいものとしている。この跳ね防止板２１は、例えば遮蔽体３が金属製である場合には、内面に磁着体２１ａを貼り付けて、前記鍔部３ｃに着脱自在に取り付けたものとしている。
【００２５】
また、遮蔽体３の前面部３ｂには、連結管５を着脱自在として連結するための前記吸引孔４が設けられており、この吸引孔４には着脱自在とした網体２２を設けている。この網体２２のメッシュは、研削作業を行う際に発生する粉塵は勿論、研削作業を行った際に回収する再生可能な金属などの有用物も通過可能な大きさに形成している。そして、前記吸引孔４には連結管５の一端に連結可能としたアダプター２３が設けられている。
【００２６】
さらに、遮蔽体３は、角度調節機構３０を介して、無段階に角度調節できるようにして、より作業性に優れたものとすることができる。この角度調節機構３０は、図示したものでは、遮蔽体３の前面部３ｂに突設した支持脚３１の支持孔３１ａを、開閉蓋２の縁部２ｂに突設した支持体３２のスライド孔３２ａに調節ネジ３３で止着可能とし、遮蔽体３の前面部３ｂの下端を開閉蓋２ａの挿入孔３４に遊挿したものとしている。したがって、前記調節ネジ３３を緩めれば、遮蔽体３はその下端を中心として開閉蓋２ａ上で回動自在となるので、任意の角度に回動させてから前記調節ネジ３３を締め付ければ、無段階に任意の角度に調節できるものとなる。なお、前記支持体３２は、開閉蓋２の縁部２ではなく、ボックス本体１１の前側面に突設したものとしてもよい。
【００２７】
また、連結管５や吸引管８は、合成樹脂などのフレキシブルチューブからなるものとしている。連結管５は、一端を回収ボックス１の一側面部に設けた吸引孔６にアダプター１２を介して連結し、他端を遮蔽体３の前面部３ｂに設けた吸引孔４にアダプター２３を介して連結したものとしているが、アダプター１２やアダプター２３を介さずにそれぞれの吸引孔４、６に直接、連結することもできる。さらに、吸引管８も、一端を回収ボックス１の一側面部に設けた吸引孔７にアダプター１３を介して連結したものとしているが、アダプター１３を介さずに吸引孔７に直接、連結することもできる。
【００２８】
以上のように構成されたこの発明の研削作業用集塵器具は、例えば歯科技工用集塵器具として、歯型や補綴物などの切削、研削作業を行う場合には、テーブルや机などの作業台に、遮蔽体３の前面部３ｂが作業者に対面するようにして置き、滑り止め１５によって作業台から移動しないようにしておく。
【００２９】
次に、回収ボックス１の開閉蓋２の上面部２ａに歯型や補綴物などを置き、両側方から作業空間Ｓに両手を延ばして、片手で歯型や補綴物などを持ち、もう片手で切削、研削工具を持って、その作業空間Ｓで切削、研削作業を行う。
【００３０】
すると、この切削、研削作業で発生した石膏や金属、レジンや陶材などからなる粉塵は、開閉蓋２の吸引口１７を開口している場合は、この吸引口１７と吸引孔４から吸引され、石膏などの細かい粉塵はボックス本体１１のフィルター部材１４を通過して、吸引孔１３から吸引管８を経て吸引装置に吸引される。そして、金属、レジンや陶材など粗い粉塵はボックス本体１１に回収される。
【００３１】
また、開閉蓋２の吸引口１７を閉鎖している場合は、前記粉塵は吸引孔４から吸引され、連結管５を経てボックス本体１１に入り、石膏などの細かい粉塵はボックス本体１１のフィルター部材１４を通過して、吸引孔１３から吸引管８を経て吸引装置に吸引され、金属、レジンや陶材など粗い粉塵は、このボックス本体１１に回収される。
【００３２】
したがって、この発明の研削作業用集塵器具は、研削作業を行った際に生ずる再生可能な金属などの有用物は、吸引管８を経て吸引装置にまで吸引されることなく、ボックス本体１１に回収されるので、その有用物の紛失防止にもなり、作業性に優れたものになるとともに作業環境も良好に保てることになる。なお、前記開閉蓋２の吸引口１７は、細かい粉塵の発生が少ない場合には閉鎖したものとし、細かい粉塵の発生が多い場合には開放したものとするのが、細かい粉塵の吸引効率が良くなるので好ましい。
【００３３】
さらに、この発明の研削作業用集塵器具では、研削作業を行った際に再生可能な金属などの有用物が生ずることがない場合には、ボックス本体１１からフィルター部材１４を取り外しておくことができる。このような場合には、研削作業を行った際に発生した粉塵はすべて、ボックス本体１１に回収されることなく、吸引管８を経て吸引装置にまで吸引されることになる。
【００３４】
また、この発明の研削作業用集塵器具を使用しないときや運搬する場合には、角度調節機構２０の調節ネジ３３を緩めて、遮蔽体３を開閉蓋２から外せば、この遮蔽体３を開閉蓋２の上に重ねておけるので、嵩を低くしておくことができる。さらに、連結管５の一端をボックス本体１１の吸引孔６から外し、連結管５の他端を遮蔽体３の吸引孔４から外せば、遮蔽体３を回収ボックス１から分離することができるので、さらに嵩を低くしておくことができる。
【００３５】
したがって、この発明の研削作業用集塵器具は、手元が見易く作業性に優れ、非常に細かい部分の研削作業も行い易いという点は損なわれることなく、歯科技工、彫金、宝飾品加工、手工芸などにおいて研削作業を行った際に生ずる再生可能な金属などの有用物を簡単に回収することができて便利なものとなり、しかも不使用時に非常に嵩を低くしておくことができて運搬する場合や収納しておく場合に便利なものとなる。
【図面の簡単な説明】
【００３６】
【図１】この発明の研削作業用集塵器具の一実施形態を示す全体斜視図である。
【図２】図１に示したこの発明の研削作業用集塵器具の分解斜視図である。
【図３】図１に示したこの発明の研削作業用集塵器具の一部を破断した側面図である。
【図４】従来の研削作業用集塵器具の一例を示す斜視図である。
【図５】図４に示す従来の研削作業用集塵器具の断面図である。
【図６】従来の研削作業用集塵器具の他の例を示す斜視図である。
【図７】図６に示す従来の研削作業用集塵器具の要部を拡大した斜視図である。
【符号の説明】
【００３７】
１  回収ボックス
２  開閉蓋
２ａ  上面部
２ｂ  縁部
３  遮蔽体
３ａ  上面部
３ｂ  前面部
４  吸引孔
５  連結管
６  吸引孔
７  吸引孔
８  吸引管
１４  フィルター部材
１７  吸引口
３０  角度調節機構
３１  支持脚
３１ａ  支持孔
３２  支持体
３２ａ  スライド孔
３３  調節ネジ
３４  挿入孔
Ｓ  作業空間
【図１】
0005136928.tif 000002
【図２】
0005136928.tif 000003
【図３】
0005136928.tif 000004
【図４】
0005136928.tif 000005
【図５】
0005136928.tif 000006
【図６】
0005136928.tif 000007
【図７】
0005136928.tif 000008